(57)【要約】【課題】  冷却効率を上げることに加え、ハードディスク冷却用のファンの削減により、画像形成装置等の機器におけるファン設置場所確保、排気流路の確保の問題を解決する。【解決手段】  水冷用のパイプ７は、画像形成装置等の機器本体内に大きく配廻してあり、ポンプ８により内部を冷却水が循環する。冷却水は、ハードディスク６から離れて循環する間にパイプ７の内部で冷える。これにより画像形成装置等の機器本体の冷却効率が向上し、ハードディスク６を冷却するために設けるファンの数をなくし、あるいは減らすことができる。したがって、ファンの設置場所を画像形成装置等の機器の本体内に用意しなくて済み、あるいは用意するにしても小さなスペースで済み、さらには排気流路を確保しなくて済み、あるいは流路を設けるにしても大きなスペースを必要としない。【選択図】        図３
2006065940.tif 000002
【特許請求の範囲】
【請求項１】
複数の電装基板やハードディスク等を搭載している機器において前記ハードディスクの冷却を行う電装冷却装置において、前記ハードディスクの冷却を該ハードディスクに接触させた水冷用パイプにより行うことを特徴とする電装冷却装置。
【請求項２】
請求項１に記載の電装冷却装置において、前記水冷用の水の冷却を専用ファンにより行うことを特徴とする電装冷却装置。
【請求項３】
請求項１に記載の電装冷却装置において、前記水冷用の水の冷却を機器本体が備える既存のファンにより行うことを特徴とする電装冷却装置。
【請求項４】
請求項１ないし３のいずれかに記載の電装冷却装置において、前記水冷用の水の冷却を、ファンにより冷却した板金材に前記水を通す冷却用パイプを接触させることにより行うことを特徴とする電装冷却装置。
【請求項５】
複数の電装基板やハードディスク等を搭載している画像形成装置において、前記ハードディスクの冷却を該ハードディスクに接触させた水冷用パイプにより行うことを特徴とする画像形成装置。
【請求項６】
請求項５に記載の画像形成装置において、前記水冷用の水の冷却を専用ファンにより行うことを特徴とする電装冷却手段を備えたことを特徴とする画像形成装置。
【請求項７】
請求項５に記載の画像形成装置において、前記水冷用の水の冷却を画像形成装置本体が備える既存のファンにより行うことを特徴とする画像形成装置。
【請求項８】
請求項５ないし７のいずれかに記載の画像形成装置において、前記水冷用の水の冷却を、ファンにより冷却した板金材に前記水を通す冷却用パイプを接触させることにより行うことを特徴とする画像形成装置。
【請求項９】
複数の電装基板やハードディスク等を搭載している画像形成装置において、前記ハードディスクが複数の電装部品群中に複数個並設されており、水冷用のパイプを前記複数個のハードディスクに接触させ、前記水冷用のパイプを画像形成装置本体内に配廻して冷却用の水を循環可能としてなることを特徴とする画像形成装置。
【請求項１０】
請求項９に記載の画像形成装置において、前記水冷用のパイプを、画像形成装置本体内の音が外に漏れづらい位置に設置に配したパイプ冷却用の専用ファンにより冷却可能とし、該専用ファンを前記ハードディスクの発熱量に同期させて制御することを特徴とする画像形成装置。
【請求項１１】
請求項９に記載の画像形成装置において、前記水冷用のパイプを、画像形成装置本体内に備えた既存の電装系の冷却用の排気ファンの排気側に配廻して冷却可能としてなることを特徴とする画像形成装置。
【請求項１２】
請求項９ないし１１のいずれかに記載の画像形成装置において、前記水冷用のパイプが前記ファンにより強制冷却される部分を中心に、前記パイプの一部を金属パイプ中に通してなることを特徴とする画像形成装置。
【請求項１３】
請求項９ないし１１のいずれかに記載の画像形成装置において、前記水冷用のパイプの一部を金属パイプとしてなることを特徴とする画像形成装置。
【発明の詳細な説明】
【技術分野】
【０００１】
本発明は、複数の電装基板やハードディスク等を搭載している画像形成装置等の機器においてハードディスクの冷却を行う電装冷却装置に関する。
【背景技術】
【０００２】
従来、ハードディスク等の電装発熱体の冷却は、ファンを用いた空冷が標準である。しかし近年の機器の高速化、高性能化に伴い、機器電装系統は高発熱化しているが、同時に機器の小型化により、電装系統は省スペース高密度化を余儀なくされている。このため冷却用ファンの設置場所の確保が困難な状況や、設置しても排気の行き場がなくなってしまう状況が生まれている。
【０００３】
また騒音に対する顧客の要望が年々厳しくなるのに対し、機械高速化に伴い逆に駆動騒音が増えており、ファンはよりいっそうの静音化を求められ、ファン個数の削減が有効な対策となっているが、冷却性能との兼ね合いから難しい面がある。
【発明の開示】
【発明が解決しようとする課題】
【０００４】
本発明は、上述した従来の問題点にかんがみ、冷却効率を上げることに加え、ハードディスク冷却用のファンの削減により、ファン設置場所確保、排気流路の確保の問題を解決することを目的とする。
【課題を解決するための手段】
【０００５】
本発明の請求項１に係る電装冷却装置は、複数の電装基板やハードディスク等を搭載している機器において前記ハードディスクの冷却を行う電装冷却装置において、前記ハードディスクの冷却を該ハードディスクに接触させた水冷用パイプにより行うことを特徴とする。
【０００６】
同請求項２に係るものは、請求項１に記載の電装冷却装置において、前記水冷用の水の冷却を専用ファンにより行うことを特徴とする。
【０００７】
同請求項３に係るものは、請求項１に記載の電装冷却装置において、前記水冷用の水の冷却を機器本体が備える既存のファンにより行うことを特徴とする。
【０００８】
同請求項４に係るものは、請求項１ないし３のいずれかに記載の電装冷却装置において、前記水冷用の水の冷却を、ファンにより冷却した板金材に前記水を通す冷却用パイプを接触させることにより行うことを特徴とする。
【０００９】
同請求項５に係る画像形成装置は、複数の電装基板やハードディスク等を搭載している画像形成装置において、前記ハードディスクの冷却を該ハードディスクに接触させた水冷用パイプにより行うことを特徴とする。
【００１０】
同請求項６に係るものは、請求項５に記載の画像形成装置において、前記水冷用の水の冷却を専用ファンにより行うことを特徴とする電装冷却手段を備えたことを特徴とする。
【００１１】
同請求項７に係るものは、請求項１に記載の画像形成装置において、前記水冷用の水の冷却を画像形成装置本体が備える既存のファンにより行うことを特徴とする。
【００１２】
同請求項８に係るものは、請求項５ないし７のいずれかに記載の画像形成装置において、前記水冷用の水の冷却を、ファンにより冷却した板金材に前記水を通す冷却用パイプを接触させることにより行うことを特徴とする。
【００１３】
同請求項９に係るものは、複数の電装基板やハードディスク等を搭載している画像形成装置において、前記ハードディスクが複数の電装部品群中に複数個並設されており、水冷用のパイプを前記複数個のハードディスクに接触させ、前記水冷用のパイプを画像形成装置本体内に配廻して冷却用の水を循環可能としてなることを特徴とする。
【００１４】
同請求項１０に係るものは、請求項９に記載の画像形成装置において、前記水冷用のパイプを、画像形成装置本体内の音が外に漏れづらい位置に設置に配したパイプ冷却用の専用ファンにより冷却可能とし、該専用ファンを前記ハードディスクの発熱量に同期させて制御することを特徴とする。
【００１５】
同請求項１１に係るものは、請求項９に記載の画像形成装置において、前記水冷用のパイプを、画像形成装置本体内に備えた既存の電装系の冷却用の排気ファンの排気側に配廻して冷却可能としてなることを特徴とする。
【００１６】
同請求項１２に係るものは、請求項９ないし１１のいずれかに記載の画像形成装置において、前記水冷用のパイプが前記ファンにより強制冷却される部分を中心に、前記パイプの一部を金属パイプ中に通してなることを特徴とする。
【００１７】
同請求項１３に係るものは、請求項９ないし１１のいずれかに記載の画像形成装置において、前記水冷用のパイプの一部を金属パイプとしてなることを特徴とする。
【発明の効果】
【００１８】
本発明は、冷却効率を上げることに加え、ハードディスク冷却用のファンの削減により、ファン設置場所確保、排気流路の確保の問題を解決することができる。
【発明を実施するための最良の形態】
【００１９】
以下本発明を実施するための最良の形態を、図に示す実施例を参照して説明する。
【実施例１】
【００２０】
図１は本発明の実施対象とされる画像形成装置等の機器の一例を示す斜視図である。図１の機器は、機器本体の一面側、図示の例では背面側に電装部品が配置された構成を持つ画像形成装置等の装置である。なお本発明では、電装部品の配置場所は図示の例のような背面側には、あるいは内部、外部には限定されない。
【００２１】
図中１、２が画像形成装置等の機器本体を示し、３、４が電装部品を示す。図中に符号３で示す電装部品群の中の図中５に示す位置に、ハードディスクが配置されている。
【００２２】
図２はハードディスク等の拡大斜視図である。ハードディスク６は４個縦に並べて設けてあり、図に示すように水冷用のパイプ７がハードディスク６に接触させて配廻してある。
【００２３】
図３は、本発明の実施例１における水冷パイプの機器内での配廻し状態の一例を示す。水冷用のパイプ７は、機器本体内に大きく配廻してあり、ポンプ８により内部を冷却水が循環する。冷却水は、ハードディスク６から離れて循環する間にパイプ７の内部で冷える構成となっている。そのため冷却効率が向上し、ハードディスク６を冷却するために設けるファンの数をなくし、あるいは減らすことができる。このことは、ファンの設置場所を画像形成装置等の機器の本体内に用意しなくて済み、あるいは用意するにしても小さなスペースで済み、さらには排気流路を確保しなくて済み、あるいは流路を設けるにしても大きなスペースを必要としない構成とすることができる。
【実施例２】
【００２４】
図４は、本発明の実施例２における機器内で配廻してある水冷パイプを、パイプ冷却専用ファン９により冷却する構成を示す。ファン９は、機器内でスペースに余裕があり、その騒音が外に漏れづらい位置に設置している。この強制冷却により、高発熱なハードディスク６にも対応できる構成となっている。またファン９をハードディスク６の発熱量に同期させて制御することで、省電力化を実現することもできる構成となっている。
【実施例３】
【００２５】
図５は、本発明の実施例３における機器内で配廻してある水冷パイプを、機器に既存のファンにより強制冷却する構成を示している。本例では電装系統の冷却用の排気ファン１０の排気側に水冷パイプ７を配廻すことで、パイプ７の冷却を実現している。本構成により、ファンの個数を増やすことなく、高発熱なハードディスクを冷却することができる。さらに騒音を低減する構成を提供することを目的とする。
【実施例４】
【００２６】
図６は、本発明の実施例４における水冷パイプ７がファン１０により強制冷却される部分を中心に、パイプ７の一部を金属パイプ１１の中に通した構成を示す。金属パイプ１１を用いることで熱伝達率を上げる構成となっている。なお水冷パイプ７と金属パイプ１１はほぼ密着する構成とすることが好ましい。またパイプ７の一部自体を金属パイプにする構成としてもよい。いずれの構成としても、冷却効力をいっそう高める構成とすることができる。
【図面の簡単な説明】
【００２７】
【図１】本発明の実施対象とされる画像形成装置等の機器の一例を示す斜視図
【図２】図１の装置が備えるハードディスク等の拡大斜視図
【図３】本発明の実施例１を示す図
【図４】本発明の実施例２を示す図
【図５】本発明の実施例３を示す図
【図６】本発明の実施例４を示す図
【符号の説明】
【００２８】
１、２：画像形成装置等の機器本体
３、４：電装部品
５：ハードディスクの配置位置
６：ハードディスク
７：水冷用のパイプ
８：ポンプ
９：パイプ冷却専用ファン
１０：排気ファン（既設）
１１：金属パイプ
【図１】
2006065940.tif 000003
【図２】
2006065940.tif 000004
【図３】
2006065940.tif 000005
【図４】
2006065940.tif 000006
【図５】
2006065940.tif 000007
【図６】
2006065940.tif 000008